(57)【要約】【課題】ユーザが所望する携帯端末と、その携帯端末に関連する周辺装置やアプリケーションとを、統合的にそのユーザに受け渡す技術を提供する。【解決手段】ユーザ端末２と、ＳＩ業者サーバ３と、商品情報データベース６と、サービス運用業者端末４とを具備する携帯端末提供システム１を構成する。  ユーザ端末２は、ネットワーク５を介してＳＩ業者サーバ３に接続する。そして、ＳＩ業者サーバ３は、接続したユーザ端末２にネットワーク５を介して、携帯端末選択画面１１を表示させる。ユーザ端末２は、携帯端末選択画面１１に示される情報１２に基づいて、ユーザの操作に応答して、要求仕様データをＳＩ業者サーバ３に送信する。  ＳＩ業者サーバ３は、受信した要求仕様データに応答して商品情報データベース６を検索し、要求仕様データに対応する携帯端末７を示す機種情報や、ユーザが要求する携帯端末機能を示す携帯端末機能情報などを抽出する。【選択図】図１
2008102732.tif 000002
【特許請求の範囲】
【請求項１】
ネットワークに接続可能なユーザ端末と、
ユーザが要求する携帯端末の仕様を示す要求仕様データを、前記ネットワークを介して受信し、前記要求仕様データに基づいて前記要求を分析するＳＩ業者サーバと、
前記ＳＩ業者サーバに接続され、異なる種類の携帯端末のそれぞれの仕様に関する情報を保持する商品情報データベースと、
前記ユーザが要求する前記携帯端末を前記ユーザに提供するサービス運用業者に備えられ、前記ネットワークを介して前記ＳＩ業者サーバから前記携帯端末の提供指示を受信するサービス運用業者端末と
を具備し、
前記ユーザ端末は、
前記ネットワークを介して前記ＳＩ業者サーバに接続し、
前記ＳＩ業者サーバは、
接続した前記ユーザ端末に前記ネットワークを介して、携帯端末選択画面を表示させ、
前記ユーザ端末は、
前記携帯端末選択画面に示される情報に基づいて、前記ユーザの操作に応答して、前記要求仕様データを前記ＳＩ業者サーバに送信し、
前記ＳＩ業者サーバは、受信した前記要求仕様データに応答して前記商品情報データベースを検索し、その検索によって前記要求仕様データに対応する携帯端末を示す機種情報と、前記ユーザが要求する携帯端末機能とを抽出し、前記機種情報と前記携帯端末機能とを前記サービス運用業者端末に送信する
携帯端末提供システム。
【請求項２】
請求項１に記載の携帯端末提供システムにおいて、
前記ＳＩ業者サーバは、Ｗｅｂサーバを含み、
前記Ｗｅｂサーバは、
前記携帯端末選択画面に示される情報を、Ｗｅｂブラウザで閲覧可能な形式で保持し、前記ユーザ端末に備えられたＷｅｂブラウザを介して、前記ユーザ端末に前記携帯端末選択画面を表示させる
携帯端末提供システム。
【請求項３】
請求項２に記載の携帯端末提供システムにおいて、
前記ＳＩ業者サーバは、
前記ユーザが要求する前記携帯端末の機能と、前記機能を識別するための識別符号とを関連付けたＷｅｂページを保持し、前記Ｗｅｂページを前記携帯端末選択画面に示される情報として前記ユーザ端末に供給する
携帯端末提供システム。
【請求項４】
請求項３に記載の携帯端末提供システムにおいて、
前記ＳＩ業者サーバは、
前記ユーザが要求する前記携帯端末に付随するサービスと、前記サービスを識別するための識別符号とを関連付けて前記Ｗｅｂページを構成し、前記Ｗｅｂページを前記携帯端末選択画面に示される情報として前記ユーザ端末に供給する
携帯端末提供システム。
【請求項５】
請求項４に記載の携帯端末提供システムにおいて、
前記ユーザ端末は、
前記携帯端末選択画面に表示された複数の選択項目から、前記ユーザの操作に対応して選択された項目を特定し、
特定された前記項目を示す識別符号を含むデータを前記要求仕様データとして前記ＳＩ業者サーバに送信する
携帯端末提供システム。
【請求項６】
請求項５に記載の携帯端末提供システムにおいて、
前記商品情報データベースは、
前記異なる種類の携帯端末のそれぞれの機種名と、前記機種名に対応する前記携帯端末の仕様を示す仕様識別符号とを記載した仕様情報テーブルを記憶し、
前記ＳＩ業者サーバは、
前記要求仕様データの受信に応答して前記仕様情報テーブルを参照し、前記要求仕様データに示される前記識別情報に合致する前記仕様識別符号を抽出し、抽出した前記仕様識別符号に基づいて前記機種情報を生成する
携帯端末提供システム。
【請求項７】
請求項１から６の何れか１項に記載の携帯端末提供システムにおいて、
前記携帯端末が、
携帯電話機である
携帯端末提供システム。
【請求項８】
ネットワークに接続可能なユーザ端末と、ユーザが要求する携帯端末の仕様を示す要求仕様データを前記ネットワークを介して受信し、前記要求仕様データに基づいて前記要求を分析するＳＩ業者サーバと、前記ＳＩ業者サーバに接続され、異なる種類の携帯端末のそれぞれの仕様に関する情報を保持する商品情報データベースと、前記ユーザが要求する前記携帯端末を前記ユーザに提供するサービス運用業者に備えられ、前記ネットワークを介して前記ＳＩ業者サーバから前記携帯端末の提供指示を受信するサービス運用業者端末とを具備する携帯端末提供システムの携帯端末提供方法であって、
（ａ）前記ユーザ端末が、前記ネットワークを介して前記ＳＩ業者サーバに接続するステップと、
（ｂ）前記ＳＩ業者サーバが、接続した前記ユーザ端末に前記ネットワークを介して、携帯端末選択画面を表示させるステップと、
（ｃ）前記ユーザ端末が、前記携帯端末選択画面に示される情報に基づいて、前記ユーザの操作に応答して、前記要求仕様データを前記ＳＩ業者サーバに送信するステップと、
（ｄ）前記ＳＩ業者サーバが、受信した前記要求仕様データに応答して前記商品情報データベースを検索し、その検索によって前記要求仕様データに対応する携帯端末を示す機種情報と、前記ユーザが要求する携帯端末機能を示す携帯端末機能情報とを抽出し、前記機種情報と前記携帯端末機能情報とを前記サービス運用業者端末に送信するステップと
を具備する携帯端末提供方法。
【請求項９】
請求項８に記載の携帯端末提供方法において、
前記（ｂ）ステップは、
Ｗｅｂブラウザで閲覧可能な形式で保持されている前記携帯端末選択画面に示される情報を読み出すステップと、
前記ユーザ端末に備えられたＷｅｂブラウザを介して、前記ユーザ端末に前記携帯端末選択画面を表示させるステップと
を含む
携帯端末提供方法。
【請求項１０】
請求項９に記載の携帯端末提供方法において、
前記（ｂ）ステップは、
前記ユーザが要求する前記携帯端末の機能と、前記機能を識別するための識別符号とを関連付けたＷｅｂページを前記携帯端末選択画面に示される情報として前記ユーザ端末に供給するステップと、
記ユーザが要求する前記携帯端末に付随するサービスと、前記サービスを識別するための識別符号とを関連付けた前記Ｗｅｂページを前記携帯端末選択画面に示される情報として前記ユーザ端末に供給するステップと
を含む
携帯端末提供方法。
【請求項１１】
請求項１０に記載の携帯端末提供方法において、
前記（ｃ）ステップは、
前記携帯端末選択画面に表示された複数の選択項目から、前記ユーザの操作に対応して選択された項目を特定するステップと、
特定された前記項目を示す識別符号を含むデータを前記要求仕様データとして前記ＳＩ業者サーバに送信するステップ
を含む
携帯端末提供方法。
【請求項１２】
請求項１１に記載の携帯端末提供方法において、
前記（ｄ）ステップは、
前記異なる種類の携帯端末のそれぞれの機種名と、前記機種名に対応する前記携帯端末の仕様を示す仕様識別符号とを記載した仕様情報テーブルを前記商品情報データベースから読み出すステップと、
前記要求仕様データの受信に応答して前記仕様情報テーブルを参照し、前記要求仕様データに示される前記識別情報に合致する前記仕様識別符号を抽出し、抽出した前記仕様識別符号に基づいて前記機種情報を生成するステップ
を含む
携帯端末提供方法。
【請求項１３】
請求項８から１２の何れか１項に記載の携帯端末提供方法において、
前記携帯端末が、
携帯電話機である
携帯端末提供方法。
【発明の詳細な説明】
【技術分野】
【０００１】
本発明は、ユーザに携帯端末を提供する携帯端末提供システムに関する。
【背景技術】
【０００２】
情報通信技術の発達に伴って、携帯端末、殊に携帯電話機が広く普及してきている。現在普及している携帯電話機は、多種多様な機能を備えている。そのような多くの機能を、ネットワークを介して個人ユーザに通知する技術が知られている（例えば、特許文献１参照。）。
【０００３】
また、個人ユーザが携帯電話機を所有する場合、その個人ユーザが携帯電話機の販売店で所望の携帯電話機を購入している。一般的に販売店では、電話機本体の販売を行っている。そのような販売店以外の場所で、携帯電話機を購入する技術が知られている（例えば、特許文献２参照）。
【０００４】
また、その電話機本体に関連するアプリケーション等（例えば、データのバックアップ用ソフトウェア等）は、その個人ユーザが自ら専門店などに赴いて購入する必要がある。そのような専門店に赴くことなく、電話機用のアプリケーションの供給を受けることができる技術が知られている（例えば、特許文献３参照。）。
【０００５】
【特許文献１】特開２００５−２３６５０７号公報
【特許文献２】特開２００３−１０８６４２号公報
【特許文献３】特開２００２−１５９０５４号公報
【発明の開示】
【発明が解決しようとする課題】
【０００６】
現在、個人ユーザが携帯電話機を保持しようとする場合、その個人ユーザ自身が必要とする機能を把握し、その後、その機能を有する携帯電話機を特定する。そして、特定した携帯電話機を所有した後に、その携帯電話機に適する周辺装置やアプリケーションなどを導入している。
【０００７】
本発明が解決しようとする課題は、ユーザが保持を希望する携帯端末（携帯電話機）と、その携帯端末に関連する周辺装置やアプリケーションとを、統合的にそのユーザに受け渡す技術を提供することにある。
【課題を解決するための手段】
【０００８】
以下に、［発明を実施するための最良の形態］で使用される番号を用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００９】
上記課題を解決するために、ネットワーク（５）に接続可能なユーザ端末（２）と、ユーザが要求する携帯端末（７）の仕様を示す要求仕様データを、前記ネットワーク（５）を介して受信し、前記要求仕様データに基づいて前記要求を分析するＳＩ業者サーバ（３）と、前記ＳＩ業者サーバ（３）に接続され、異なる種類の携帯端末（７）のそれぞれの仕様に関する情報を保持する商品情報データベース（６）と、前記ユーザが要求する前記携帯端末（７）を前記ユーザに提供するサービス運用業者に備えられ、前記ネットワーク（５）を介して前記ＳＩ業者サーバ（３）から前記携帯端末（７）の提供指示を受信するサービス運用業者端末（４）とを具備する携帯端末提供システム（１）を構成する。
その携帯端末提供システム（１）において、前記ユーザ端末（２）は、前記ネットワーク（５）を介して前記ＳＩ業者サーバ（３）に接続する。そして、前記ＳＩ業者サーバ（３）は、接続した前記ユーザ端末（２）に前記ネットワーク（５）を介して、携帯端末選択画面（１１、１４、１７、２０）を表示させる。このとき、前記ユーザ端末（２）は、前記携帯端末選択画面（１１、１４、１７、２０）に示される情報（１２、１５、１８、２１）に基づいて、前記ユーザの操作に応答して、前記要求仕様データを前記ＳＩ業者サーバ（３）に送信する。
前記ＳＩ業者サーバ（３）は、受信した前記要求仕様データに応答して前記商品情報データベース（６）を検索し、その検索によって前記要求仕様データに対応する携帯端末（７）を示す機種情報や、前記ユーザが要求する携帯端末機能を示す携帯端末機能情報などを抽出し、前記機種情報と前記携帯端末機能情報とを前記サービス運用業者端末（４）に送信する。
【００１０】
また、その携帯端末提供システム（１）において、前記ＳＩ業者サーバ（３）は、Ｗｅｂサーバを含んで構成されることが望ましい。ここにおいて、前記Ｗｅｂサーバは、前記携帯端末選択画面（１１、１４、１７、２０）に示される情報（１２、１５、１８、２１）を、Ｗｅｂブラウザで閲覧可能な形式で保持し、前記ユーザ端末（２）に備えられたＷｅｂブラウザを介して、前記ユーザ端末（２）に前記携帯端末選択画面（１１、１４、１７、２０）を表示させる。
【００１１】
また、その携帯端末提供システム（１）において、前記ＳＩ業者サーバ（３）は、前記ユーザが要求する前記携帯端末（７）を特定するための機能と、前記機能を識別するための識別符号とを関連付けたＷｅｂページを保持する構成であることが望ましい。また、前記ユーザが要求する前記携帯端末に付随するサービスと、前記サービスを識別するための識別符号とを関連付けて前記Ｗｅｂページを構成し、前記Ｗｅｂページを前記携帯端末選択画面に示される情報として前記ユーザ端末に供給する構成であってもよい。そして、前記ＳＩ業者サーバ（３）は、前記Ｗｅｂページを前記携帯端末選択画面（１１、１４、１７、２０）に示される情報（１２、１５、１８、２１）として前記ユーザ端末（２）に供給する。
【００１２】
また、その携帯端末提供システム（１）において、前記ユーザ端末（２）は、前記携帯端末選択画面（１１、１４、１７、２０）に表示された複数の選択項目から、前記ユーザの操作に対応して選択された項目を特定する。そして、特定された前記項目を示す識別符号を含むデータを前記要求仕様データとして前記ＳＩ業者サーバ（３）に送信する構成を備えていることが望ましい。
【００１３】
また、その携帯端末提供システム（１）において、前記商品情報データベース（６）は、前記異なる種類の携帯端末（７）のそれぞれの機種名と、前記機種名に対応する前記携帯端末（７）の仕様を示す仕様識別符号とを記載した仕様情報テーブルを記憶していることが望ましい。ここにおいて、前記ＳＩ業者サーバ（３）は、前記要求仕様データの受信に応答して前記仕様情報テーブルを参照し、前記要求仕様データに示される前記識別情報に合致する前記仕様識別符号を抽出し、抽出した前記仕様識別符号に基づいて前記機種情報を生成する。
【００１４】
上述の携帯端末提供システム（１）では、前記携帯端末（７）が携帯電話機である場合にも適用可能である。
【００１５】
また、ネットワーク（５）に接続可能なユーザ端末（２）と、ユーザが要求する携帯端末（７）の仕様を示す要求仕様データを前記ネットワーク（５）を介して受信し、前記要求仕様データに基づいて前記要求を分析するＳＩ業者サーバ（３）と、前記ＳＩ業者サーバ（３）に接続され、異なる種類の携帯端末（７）のそれぞれの仕様に関する情報を保持する商品情報データベース（６）と、前記ユーザが要求する前記携帯端末（７）を前記ユーザに提供するサービス運用業者に備えられ、前記ネットワーク（５）を介して前記ＳＩ業者サーバ（３）から前記携帯端末（７）の提供指示を受信するサービス運用業者端末（４）とを具備する携帯端末提供システム（１）を構成し、その携帯端末提供システム（１）を以下の携帯端末（７）提供方法で動作させることで上記課題解決することができる。その携帯端末（７）提供方法は、
（ａ）前記ユーザ端末（２）が、前記ネットワーク（５）を介して前記ＳＩ業者サーバ（３）に接続するステップと、
（ｂ）前記ＳＩ業者サーバ（３）が、接続した前記ユーザ端末（２）に前記ネットワーク（５）を介して、携帯端末選択画面（１１、１４、１７、２０）を表示させるステップと、
（ｃ）前記ユーザ端末（２）が、前記携帯端末選択画面（１１、１４、１７、２０）に示される情報（１２、１５、１８、２１）に基づいて、前記ユーザの操作に応答して、前記要求仕様データを前記ＳＩ業者サーバ（３）に送信するステップと、
（ｄ）前記ＳＩ業者サーバ（３）が、受信した前記要求仕様データに応答して前記商品情報データベース（６）を検索し、その検索によって前記要求仕様データに対応する携帯端末（７）を示す機種情報と、前記ユーザが要求する保守サービスを示す要求サービス情報とを抽出し、前記機種情報と前記要求サービス情報とを前記サービス運用業者端末（４）に送信するステップと
を具備する携帯端末（７）提供方法であることが好ましい。
【００１６】
また、その携帯端末（７）提供方法において、
前記（ｂ）ステップは、
Ｗｅｂブラウザで閲覧可能な形式で保持されている前記携帯端末選択画面（１１、１４、１７、２０）に示される情報（１２、１５、１８、２１）を読み出すステップと、
前記ユーザ端末（２）に備えられたＷｅｂブラウザを介して、前記ユーザ端末（２）に前記携帯端末選択画面（１１、１４、１７、２０）を表示させるステップとを含むことが好ましい。
【００１７】
また、その携帯端末（７）提供方法において、
前記（ｂ）ステップは、
前記ユーザが要求する前記携帯端末（７）を特定するための機能と、前記機能を識別するための識別符号とを関連付けたＷｅｂページを前記携帯端末選択画面（１１、１４、１７、２０）に示される情報（１２、１５、１８、２１）として前記ユーザ端末（２）に供給するステップを含むことが好ましい。
【００１８】
また、その携帯端末（７）提供方法において、
前記（ｃ）ステップは、
前記携帯端末選択画面（１１、１４、１７、２０）に表示された複数の選択項目から、前記ユーザの操作に対応して選択された項目を特定するステップと、
特定された前記項目を示す識別符号を含むデータを前記要求仕様データとして前記ＳＩ業者サーバ（３）に送信するステップを含むことが好ましい。
【００１９】
また、その携帯端末（７）提供方法において、
前記（ｄ）ステップは、
前記異なる種類の携帯端末（７）のそれぞれの機種名と、前記機種名に対応する前記携帯端末（７）の仕様を示す仕様識別符号とを記載した仕様情報テーブルを前記商品情報データベース（６）から読み出すステップと、
前記要求仕様データの受信に応答して前記仕様情報テーブルを参照し、前記要求仕様データに示される前記識別情報に合致する前記仕様識別符号を抽出し、抽出した前記仕様識別符号に基づいて前記機種情報を生成するステップを含むことが好ましい。
【００２０】
上述の携帯端末（７）提供方法では、前記携帯端末（７）が携帯電話機である場合に適用可能である。
【発明の効果】
【００２１】
本発明によると、ユーザが所望する携帯端末（携帯電話機）と、その携帯端末に関連する周辺装置、アプリケーション、保守サービスなどを、統合的にそのユーザに提供することが可能となる。
【発明を実施するための最良の形態】
【００２２】
以下に、図面を参照して、本願発明を実施するための形態について説明を行う。以下の実施形態においては、ユーザが所有を希望する携帯端末が、携帯電話機である場合を例示して説明を行う。図１は、本実施形態の携帯端末提供システム１の構成を例示するブロック図である。図１を参照すると、携帯端末提供システム１は、ユーザ端末２と、ＳＩ業者サーバ３と、サービス運用業者端末４と含んで構成されている。それらは、インターネット５を介して接続されている。また、ＳＩ業者サーバ３は、商品情報データベース６と情報通信が可能な状態で接続されている。
【００２３】
ユーザ端末２は、携帯電話機の所有を希望するユーザが使用できるように構成されている。ユーザ端末２は、入力、記憶、演算、制御、出力の５つの機能を備えている。ユーザ端末２は、ユーザ端末装置本体と、データを入力する入力装置と、情報を表示する表示装置とを含んで構成されている。ユーザ端末装置本体には、ユーザ端末用記憶装置（図示されず）と、ユーザ端末用演算処理装置（図示されず）が備えられている。ユーザ端末用記憶装置は、Ｗｅｂページを閲覧するためのアプリケーションソフト（例えば、Ｗｅｂブラウザ）を備えている。ユーザ端末用演算処理装置は、そのユーザ端末用記憶装置に保持されているコンピュータプログラムに示される手順に対応してユーザ端末２を動作させている。また、本実施形態において、ユーザが複数存在する場合には、各々のユーザにユーザＩＤが付与されている。
【００２４】
ＳＩ業者サーバ３は、ユーザが所有を希望する携帯電話機を特定するＳＩ（システムインテグレーション）業者に備えられている。ＳＩ業者サーバ３は、入力、記憶、演算、制御、出力の５つの機能を備えている。ＳＩ業者サーバ３は、ユーザ端末２と同様に、サーバ装置本体と、データを入力する入力装置と、情報を表示する表示装置とを含んで構成されている。サーバ装置本体には、Ｗｅｂページを閲覧可能な状態で保持するサーバ用記憶装置（図示されず）とサーバ用演算処理装置（図示されず）が備えられている。また、サーバ用演算処理装置は、そのサーバ用記憶装置に保持されているコンピュータプログラムに示される手順に対応してＳＩ業者サーバ３を動作させている。また、ＳＩ業者サーバ３は、Ｗｅｂサーバとしての機能を備えている。ＳＩ業者サーバ３は、そのＷｅｂサーバ機能を用いて、インターネット５を介して接続する端末にＷｅｂページを表示させる。
【００２５】
商品情報データベース６は、ＳＩ業者サーバ３がユーザに提供する携帯電話機を特定するために用いるデータを、所定の規則で蓄積している。商品情報データベース６に保持されているデータは、ＳＩ業者サーバ３によって読み出し／書き込みが行われる。
【００２６】
サービス運用業者端末４は、ユーザに携帯電話機を受け渡すサービス運用業者に備えられている。サービス運用業者端末４は、入力、記憶、演算、制御、出力の５つの機能を備えている。サービス運用業者端末４は、ＳＩ業者端末装置本体と、データを入力する入力装置と、情報を表示する表示装置とを含んで構成されている。ＳＩ業者端末装置本体には、ＳＩ業者端末用記憶装置（図示されず）と、ＳＩ業者端末用演算処理装置（図示されず）が備えられている。ＳＩ業者端末用記憶装置には、上述のユーザＩＤと、そのユーザＩＤに対応する送り先アドレスとを関連付けたデータが保持されている。
【００２７】
サービス運用業者端末４は、ＳＩ業者サーバ３から供給される携帯電話機の提供指示メッセージを受信する。提供指示メッセージには、ユーザＩＤと携帯電話機に関連する情報とが含まれている。サービス運用業者端末４を備えるサービス運用業者は、提供指示メッセージに従って、ユーザ端末２に対応するユーザに対し、携帯電話７を提供する。
【００２８】
本実施形態において、ユーザが携帯電話機の所有を希望するときに、そのユーザは、ユーザ端末２を用いてＳＩ業者サーバ３にアクセスする。ユーザは、そのときにユーザ端末２の表示装置に表示される選択項目に従って、所望する携帯電話機を絞り込む。以下に、図面を参照して、ユーザ端末２の表示装置に表示される、携帯電話や保守サービスなどの選択項目に関して説明を行う。
【００２９】
図２は、ユーザ端末２の表示装置に表示される第１必須選択項目テーブル１１の構成を例示する図である。第１必須選択項目テーブル１１は、ユーザ端末２が起動しているＷｅｂブラウザを用いて表示される。第１必須選択項目テーブル１１は、ユーザが必ず択一的に選択しなければならない項目（第１必須選択項目）として構成されている。第１必須選択項目テーブル１１は、第１必須選択項目表示領域１２と第１フラグ表示領域１３とを含んで構成されている。第１必須選択項目表示領域１２には、ユーザが契約できる電話会社の名前が示されている。第１フラグ表示領域１３には、異なる複数の電話会社を識別すための電話会社識別符号が示されている。電話会社の名前と電話会社識別符号とは、一対一に対応している。
【００３０】
図３は、ユーザ端末２の表示装置に表示される第２必須選択項目テーブル１４の構成を例示する図である。第２必須選択項目テーブル１４は、第１必須選択項目テーブル１１と同様に、Ｗｅｂブラウザを用いて表示される。第２必須選択項目テーブル１４は、ユーザが必ず択一的に選択しなければならない基本機能項目（第２必須選択項目）として構成されている。第２必須選択項目テーブル１４は、第２必須選択項目表示領域１５と第２フラグ表示領域１６とを含んで構成されている。第２必須選択項目表示領域１５には、ユーザが所望する必須機能が示されている。第２フラグ表示領域１６には、その必須機能を識別するための必須機能識別符号が示されている。必須機能と必須機能識別符号とは、一対一に対応している。
【００３１】
図４は、ユーザ端末２の表示装置に表示される第１任意選択項目テーブル１７の構成を例示する図である。第１任意選択項目テーブル１７は、ユーザが任意に選択できる項目（第１任意選択項目）として構成されている。第１任意選択項目テーブル１７は、第１任意選択項目表示領域１８と第３フラグ表示領域１９とを含んで構成されている。第１任意選択項目表示領域１８には、端末のその他機能（基本機能以外の機能）が示されている。第３フラグ表示領域１９には、その第１任意選択項目を識別するための選択項目識別符号が示されている。
【００３２】
図５は、ユーザ端末２の表示装置に表示される第２任意選択項目テーブル２０の構成を例示する図である。第２任意選択項目テーブル２０は、第１必須選択項目テーブル１１と同様に、Ｗｅｂブラウザを用いて表示される。第２任意選択項目テーブル２０は、ユーザが任意に選択できるサービス項目（第２任意選択項目）として構成されている。第２任意選択項目テーブル２０は、第２任意選択項目表示領域２１と第４フラグ表示領域２２とを含んで構成されている。第２任意選択項目表示領域２１には、端末機能以外の保守サービス等の情報が示されている。第４フラグ表示領域２２には、サービス項目を識別するためのサービス項目識別符号が示されている。
【００３３】
これらの選択項目は、ＳＩ業者サーバ３が処理しているＷＥＢサイトでユーザ端末２に提供される。各々の選択項目は、ユーザにとって分かりやすい説明で書かれている。また、各々の選択項目には、対応する識別符号（フラグ）が付されている。ここにおいて、識別符号は、選択項目と必ずしも１対１である必要はない。
【００３４】
例えば、ＩＣカード機能が搭載されている携帯電話では、『電子マネー機能』も『定期券機能』も使うことができる。しかしながら、ＩＣカード機能について詳しくないユーザは、仮に「ＩＣカード機能」という選択項目を表示されても、その機能がどのようなものなのか分からない場合がある。本実施形態の選択項目は、ユーザにとって分かりやすい記載で表示している。また、携帯電話機から見た機能が、複数の選択項目に共通している場合は、同じ識別符号を付けている。
【００３５】
上述した図４を参照すると、『電子マネー機能』と『定期券機能』とに、同じ識別符号『Ｃ４』が付されている。これは、携帯電話機がＩＣカード機能を備えることで、両方の機能を実現することができるからである。
【００３６】
図６は、仕様情報テーブル２３の構成を例示する図である。仕様情報テーブル２３は、機種名保持領域２４と、該当フラグ保持領域２５と、対応ソフトウェア保持領域２６とを含んで構成されている。機種名保持領域２４には、機種名が記載されている。該当フラグ保持領域２５には、機種名に対応する選択項目の識別符号が記載されている。対応ソフトウェア保持領域２６には、機種名に対応する機種に関連する商品（周辺装置やアプリケーション）の情報が記載されている。
【００３７】
以下に、本実施形態の携帯端末提供システム１の動作に関して説明を行う。図７は、本実施形態の携帯端末提供システム１の動作を例示するシーケンス図である。図７を参照すると、ステップＳ１０１において、ユーザ端末２は、ユーザの操作に対応して、インターネット５を介してＳＩ業者サーバ３に接続する。ステップＳ１０２において、ＳＩ業者サーバ３は、ユーザ端末２との接続完了に応答して、第１必須選択項目テーブル１１、第２必須選択項目テーブル１４、第１任意選択項目テーブル１７および第２任意選択項目テーブル２０を含むＷｅｂページ（以下、サービスメニューと呼ぶ。）を送信する。
【００３８】
ステップＳ１０３において、ユーザは、ユーザ端末２の表示装置に表示される選択項目を参照し、希望の機能やサービスを選択する。ユーザは、選択した機能やサービスに関する情報を入力装置を介してユーザ端末装置本体に入力する。ユーザ端末２は、ユーザ端末装置本体に入力された情報に基づいて、要求仕様データを生成し、ＳＩ業者サーバ３に送信する。その要求仕様データは、ユーザＩＤと識別符号とを含んで構成される。したがって、このときＳＩ業者サーバ３には選択項目の識別符号が送信される。
【００３９】
ステップＳ１０４において、ＳＩ業者サーバ３は、要求仕様データを受信すると、商品情報データベース６を検索する。ＳＩ業者サーバ３は、商品情報データベース６に格納されている仕様情報テーブル２３を参照して、要求仕様データに含まれる識別符号に合致する機種を抽出する。また、ＳＩ業者サーバ３は要求仕様データに含まれる識別符号に合致するサービスを特定する。ステップＳ１０５において、ＳＩ業者サーバ３は、抽出した機種と特定したサービスとを、ユーザの希望情報として提供指示メッセージに設定する。ステップＳ１０６において、ＳＩ業者サーバ３は、その提供指示メッセージを、サービス運用業者端末４に送信する。
【００４０】
その後、サービス運用業者では、ユーザの希望情報にしたがって、ユーザに携帯電話及び関連商品やサービス等を提供する。ユーザがレンタルを希望した場合、サービス運用業者が携帯電話会社と端末の契約を行い、ユーザに提供する。また、電話による問合せや故障時などの引き取りも、適宜行う。
【００４１】
これによって、本実施形態の携帯端末提供システム１によれば、単に携帯電話本体だけを販売するだけでなく、販売時に関連商品や保守サービス等を同時にユーザに提供することができる
【図面の簡単な説明】
【００４２】
【図１】図１は、本実施形態の携帯端末提供システム１の構成を例示するブロック図である。
【図２】図２は、第１必須選択項目テーブル１１の構成を例示する図である。
【図３】図３は、第２必須選択項目テーブル１４の構成を例示する図である。
【図４】図４は、第１任意選択項目テーブル１７の構成を例示する図である。
【図５】図５は、第２任意選択項目テーブル２０の構成を例示する図である。
【図６】図６は、仕様情報テーブル２３の構成を例示する図である。
【図７】図７は、本実施形態の携帯端末提供システム１の動作を例示するシーケンス図である。
【符号の説明】
【００４３】
１…携帯端末提供システム
２…ユーザ端末
３…ＳＩ業者サーバ
４…サービス運用業者端末
５…インターネット
６…商品情報データベース
７…携帯電話
１１…第１必須選択項目テーブル
１２…第１必須選択項目表示領域
１３…第１フラグ表示領域
１４…第２必須選択項目テーブル
１５…第２必須選択項目表示領域
１６…第２フラグ表示領域
１７…第１任意選択項目テーブル
１８…第１任意選択項目表示領域
１９…第３フラグ表示領域
２０…第２任意選択項目テーブル
２１…第２任意選択項目表示領域
２２…第４フラグ表示領域
２３…仕様情報テーブル
２４…機種名保持領域
２５…該当フラグ保持領域
２６…対応ソフトウェア保持領域
【図１】
2008102732.tif 000003
【図２】
2008102732.tif 000004
【図３】
2008102732.tif 000005
【図４】
2008102732.tif 000006
【図５】
2008102732.tif 000007
【図６】
2008102732.tif 000008
【図７】
2008102732.tif 000009